(57)【特許請求の範囲】
【請求項１】
転がり軸受の内部側と外部側との境界部において、互いに相対回転する内周側部材と外周側部材との間の環状空間を密封する密封装置であって、
回転運動する前記内周側部材に取り付けられ、複数のシールリップを有するシール部材と、
前記外周側部材に設けられ、前記各シールリップが摺動可能に接触する摺接面と、を備えており、
前記複数のシールリップは、前記転がり軸受のより外部側に配置されたものほど前記摺接面に対する接触圧が高められていることを特徴とする密封装置。
【請求項２】
転がり軸受の内部側と外部側との境界部において、互いに相対回転する内周側部材と外周側部材との間の環状空間を密封する密封装置であって、
前記内周側部材及び前記外周側部材のうち一方の部材に取り付けられ、複数のシールリップを有するシール部材と、
前記内周側部材及び前記外周側部材のうち他方の部材に設けられ、前記各シールリップが摺動可能に接触する摺接面と、を備えており、
前記複数のシールリップは、前記摺接面への接触方向における曲げ剛性の相違により前記接触面に対する接触圧が相互に異なっており、しかも前記転がり軸受のより外部側に配置されたものほど前記接触圧が高められていることを特徴とする密封装置。
【請求項３】
転がり軸受の内部側と外部側との境界部において、互いに相対回転する内周側部材と外周側部材との間の環状空間を密封する密封装置であって、
回転運動する前記内周側部材に取り付けられ、複数のシールリップを有するシール部材と、
前記外周側部材に設けられ、前記各シールリップが摺動可能に接触する摺接面と、を備えており、
前記複数のシールリップは、前記転がり軸受のより外部側に配置されたものほど前記摺接面に対する接触圧が高められ、
前記内周側部材の回転に伴う前記シール部材の回転速度に対する前記シールリップの接触圧の変化率が、前記転がり軸受のより内部側に配置されたシールリップほど大きくなっていることを特徴とする密封装置。
【請求項４】
転がり軸受の内部側と外部側との境界部において、互いに相対回転する内周側部材と外周側部材との間の環状空間を密封する密封装置であって、
回転運動する前記内周側部材に取り付けられ、複数のシールリップを有するシール部材と、
前記外周側部材に設けられ、前記各シールリップが摺動可能に接触する摺接面と、を備えており、
前記複数のシールリップは、前記転がり軸受のより外部側に配置されたものほど前記摺接面に対する接触圧が高められ、
前記シール部材が、その径方向外端に前記外周側部材の内周面に対して隙間をあけて配置される先端部を有しており、この先端部は、互いに逆向きに傾斜する内側面及び外側面を有していて径方向外方へ向けて先細り形状に形成されていることを特徴とする密封装置。
【請求項５】
前記複数のシールリップは、前記摺接面に対する締め代の相違により接触圧が相互に異なっている請求項１〜４のいずれか１項に記載の密封装置。
【請求項６】
前記シールリップが、径方向に複数設けられており、より径方向外側のシールリップが転がり軸受の外部側に配置される請求項１〜５のいずれか１項に記載の密封装置。
【請求項７】
内輪、この内輪の径方向外方に設けられる外輪、及び前記内輪と前記外輪との間に転動可能に設けられた複数の転動体を備え、軸を支持するための転がり軸受と、
前記転がり軸受の軸方向端部に設けられる請求項１〜６のいずれか１項に記載の密封装置と、を備えていることを特徴とする転がり軸受装置。
【発明の詳細な説明】
【技術分野】
【０００１】
本発明は、密封装置、及びこれを備えた転がり軸受装置に関するものである。
【背景技術】
【０００２】
圧延機の圧延ロールを回転可能に支持する転がり軸受には、内輪と外輪との間の環状空間を密封するために密封装置が設けられている（例えば、特許文献１参照）。
特許文献１に記載された密封装置は、内輪側に取り付けられた内周側部材と外輪側に取り付けられた外周側部材との間を密封するものであり、内周側部材に取り付けられ、外周側部材の側面に摺動自在に密接するシールリップを有している。このシールリップは、低速回転時には外周側部材に摺動自在に密接するが、高速回転時には遠心力による弾性変形で外周側部材から離れ、ラビリンスシールを形成するようになっている。
【先行技術文献】
【特許文献】
【０００３】
【特許文献１】特開２００１−２５４８４０号公報
【発明の概要】
【発明が解決しようとする課題】
【０００４】
上記特許文献１に記載の技術は、転がり軸受の低速回転時にはシールリップが外周側部材に密接するが、高速回転時にはシールリップが外周側部材から離れてラビリンスシールを形成するので、高速回転時にシールリップが外周側部材に摺接することに伴う発熱を防止することができ、当該発熱に起因するシール性能の低下や寿命の短縮等を抑制することができる。
しかし、外周側部材と内周側部材との軸方向の相対位置変化やシールリップの製造誤差等によって、高速回転時のシールリップと外周側部材との隙間を適切に調整するのが非常に困難であり、当該隙間が小さすぎたり大きすぎたりすることによって、所望の発熱防止効果やシール効果を得られなくなってしまう可能性がある。
【０００５】
本発明は、高速回転時の発熱による不都合を可及的に解消しつつシール効果も好適に維持することができる密封装置、及びこれを備えた転がり軸受装置を提供することを目的とする。
【課題を解決するための手段】
【０００６】
本発明に係る密封装置は、
転がり軸受の内部側と外部側との境界部において、互いに相対回転する内周側部材と外周側部材との間の環状空間を密封する密封装置であって、
回転運動する前記内周側部材に取り付けられ、複数のシールリップを有するシール部材と、
前記外周側部材に設けられ、前記各シールリップが摺動可能に接触する摺接面と、を備えており、
前記複数のシールリップは、前記転がり軸受のより外部側に配置されたものほど前記摺接面に対する接触圧が高められていることを特徴とする。
前記複数のシールリップは、前記転がり軸受のより外部側に配置されたものほど前記摺接面に対する接触圧が高められていることを特徴とする。
【０００７】
一般に、転がり軸受は、内部側ほど熱がこもり易く高温となり、外部側は外気や冷却水等に触れることによって放熱性が高まり、内部側と比較して低温となる。
本発明の密封装置は、より放熱性が高い転がり軸受の外部側ほどシールリップの接触圧を高めることによって、シール性能を高めながらも高速回転時の発熱を抑制し、熱のこもり易い転がり軸受の内部側では、シールリップの接触圧を相対的に下げることによって高速回転時の発熱を抑制している。したがって、密封装置全体として、シール性能を低下させることなく高速回転時の発熱も抑制することができ、当該発熱に起因する不都合（寿命の低下等）を抑制することができる。
【０００８】
前記複数のシールリップは、前記摺接面に対する締め代の相違により接触圧が相互に異なっていてもよい。
このような構成によって、同じ形状や同じ剛性に形成された複数のシールリップを、摺接面に対して異なる接触圧で接触させることができる。
【０００９】
本発明に係る密封装置は、
転がり軸受の内部側と外部側との境界部において、互いに相対回転する内周側部材と外周側部材との間の環状空間を密封する密封装置であって、
前記内周側部材及び前記外周側部材のうち一方の部材に取り付けられ、複数のシールリップを有するシール部材と、
前記内周側部材及び前記外周側部材のうち他方の部材に設けられ、前記各シールリップが摺動可能に接触する摺接面と、を備えており、
前記複数のシールリップは、前記摺接面への接触方向における曲げ剛性の相違により前記接触面に対する接触圧が相互に異なっており、しかも前記転がり軸受のより外部側に配置されたものほど前記接触圧が高められていることを特徴とする。
この構成によれば、前記複数のシールリップは、前記摺接面への接触方向における曲げ剛性の相違により接触圧が相互に異なっているので、摺接面に対する締め代が同じであっても複数のシールリップを、異なる接触圧で摺接面に接触させることができる。
【００１０】
前記シールリップは、径方向に複数設けられており、より径方向外側のシールリップが転がり軸受の外部側に配置されていてもよい。
【００１１】
本発明に係る密封装置は、
転がり軸受の内部側と外部側との境界部において、互いに相対回転する内周側部材と外周側部材との間の環状空間を密封する密封装置であって、
回転運動する前記内周側部材に取り付けられ、複数のシールリップを有するシール部材と、
前記外周側部材に設けられ、前記各シールリップが摺動可能に接触する摺接面と、を備えており、
前記複数のシールリップは、前記転がり軸受のより外部側に配置されたものほど前記摺接面に対する接触圧が高められ、
前記内周側部材の回転に伴う前記シール部材の回転速度に対する前記シールリップの接触圧の変化率が、前記転がり軸受のより内部側に配置されたシールリップほど大きくなっていることを特徴とする。
回転運動する内周側部材にシール部材が取り付けられている場合、シール部材の回転速度が高まるほど、その遠心力によってシールリップの接触圧が小さくなる。そして、シール部材の回転速度に対するシールリップの接触圧の変化率が、前記転がり軸受のより内部側に配置されたシールリップほど大きい場合、シール部材の回転速度が大きくなると、より内部側のシールリップほど接触圧が大きく低下する。したがって、高速回転時に、熱のこもり易い転がり軸受の内部側のシールリップの発熱をより効果的に適切に抑制することができる。逆に、転がり軸受のより外部側のシールリップほど接触圧の低下が小さくなるので、高速回転時におけるシール性の低下を抑制することができる。
【００１２】
本発明に係る密封装置は、
転がり軸受の内部側と外部側との境界部において、互いに相対回転する内周側部材と外周側部材との間の環状空間を密封する密封装置であって、
回転運動する前記内周側部材に取り付けられ、複数のシールリップを有するシール部材と、
前記外周側部材に設けられ、前記各シールリップが摺動可能に接触する摺接面と、を備えており、
前記複数のシールリップは、前記転がり軸受のより外部側に配置されたものほど前記摺接面に対する接触圧が高められ、
前記シール部材が、その径方向外端に前記外周側部材の内周面に対して隙間をあけて配置される先端部を有しており、この先端部は、互いに逆向きに傾斜する内側面及び外側面を有していて径方向外方へ向けて先細り形状に形成されていることを特徴とする。
これにより、シール部材の内側に入り込んだ水は先端部の内側面によってシール部材の回転に伴い外部へ流れやすくなり、シール部材の外面にかかった水は、先端部の外側面によって外部へはね返されやすくなる。したがって、シール部材に対して水が入りにくく、入った水を排出し易くすることができる。
【００１３】
本発明に係る転がり軸受装置は、内輪と、この内輪の径方向外方に設けられる外輪と、前記内輪と前記外輪との間に転動可能に設けられた複数の転動体とを備えている転がり軸受と、
前記転がり軸受の軸方向端部に設けられる上述の密封装置と、を備えていることを特徴とする。
【発明の効果】
【００１４】
本発明によれば、高速回転時の発熱による不都合を可及的に解消しつつシール効果も維持することができる。
【図面の簡単な説明】
【００１５】
【図１】本発明の第１の実施形態に係る密封装置が組み付けられた転がり軸受装置を示す断面図である。
【図２】図１における密封装置を示す拡大断面図である。
【図３】本発明の第２の実施形態におけるシール部材の回転速度とシールリップの接触圧との関係を示すグラフである。
【発明を実施するための形態】
【００１６】
以下、図面を参照しつつ、本発明の密封装置、及び転がり軸受装置の実施形態を説明する。
《第１の実施の形態》
図１は、本発明の第１の実施形態に係る密封装置と転がり軸受装置とを示す断面図である。図２は、図１における密封装置を示す拡大断面図である。なお、これらの図における左右方向を軸方向といい、上下方向を径方向という。また、軸方向に関して、転がり軸受１０の内部から外部へ向かう側（又は方向）を軸方向外側（又は軸方向外方）といい、転がり軸受１０の外部から内部へ向かう側（又は方向）を軸方向内側（又は軸方向内方）という。
【００１７】
図１に示されるように、転がり軸受１０は、例えば圧延ロール支持用の軸受として用いられる４列の円すいころ軸受とされている。転がり軸受１０は、圧延ロールの端部外周面に嵌合される軸方向に２つの内輪１１と、この内輪１１の径方向外方に同軸心状に配置される軸方向に３つの外輪１２と、内輪１１に形成された内輪軌道面１３及び外輪１２に形成された外輪軌道面１４の間に配置され、各軌道面上を転動する４列の円すいころ１５と、各列の円すいころ１５の周方向の間隔を保持する４つの保持器１６とを備えている。
【００１８】
転がり軸受１０の軸方向端部には、転がり軸受１０の内部に供給された潤滑油の漏洩を防止するとともに、圧延ロール冷却用の冷却水等が転がり軸受１０の内部へ浸入するのを防止するために、転がり軸受１０の内部側と外部側との間を密封する密封装置１８が設けられている。
具体的に、密封装置１８は、転がり軸受１０の軸方向端部に設けられた外周側部材１９と内周側部材２０との間の環状空間を密封している。内周側部材２０は、２つの内輪１１の各軸方向外側の端部に設けられた、軸方向外方に張り出す張出部によって構成されている。外周側部材１９は、各内輪１１の張出部２０の径方向外方であって外輪１２に隣接する位置に配置され、外輪１２とともにハウジング２１に嵌合されている。
【００１９】
図２に示されるように、密封装置１８は、内周側部材２０の外周面に取り付けられるとともに、複数のシールリップ３６，３７を有するシール部材２３と、外周側部材１９に設けられるとともに、シールリップ３６，３７が摺動可能に接触する摺接面２４Ａ，２４Ｂと、を有している。
シール部材２３は、断面形状が略Ｌ字形状に形成された芯金２５にゴム等の弾性材からなるシール部２６を固着したものである。芯金２５は、全体が環状に形成されており、円筒形状に形成されて内輪１１の張出部（内周側部材）２０の外周面に嵌合される円筒部２７と、この円筒部２７の軸方向外側の端部から径方向外方へ略垂直に屈曲して延びる円環部２８とからなっている。芯金２５は、例えば、冷延鋼板であるＳＰＣＣ，ＳＰＣＤ，ＳＰＣＥ等をプレス加工することで形成される。
【００２０】
芯金２５の円筒部２７の内周面には凹部３０が形成されており、内周側部材２０の外周面には凹部３１が形成されている。そして、この凹部３０と凹部３１とに可撓性棒体３３を挿入することによって、内周側部材２０に対する芯金２５の軸方向の位置ずれが規制されている。また、内周側部材２０には、Ｏリング５０を収容する凹部３２も形成されている。
【００２１】
シール部２６は、主として芯金２５の円筒部２７の外周面と円環部２８の軸方向内側の側面（図２の左側の側面）に固着されている。そして、シール部２６は、円筒部２７と円環部２８との間の屈曲部付近から、径方向外方かつ軸方向内方（図２の左方向）へ斜めに延びる２つのシールリップ３６，３７を備えている。シール部２６の軸方向内端部には、周方向に複数の突起３４が形成されており、この突起３４が内周側部材２０の内周部に形成された嵌合凹部３５に嵌合されることによって、シール部材２３の周方向の周り止めがなされている。
【００２２】
２つのシールリップ３６，３７は、相互に径方向の位置が異なっており、本実施形態では、径方向内側のシールリップ３６を内側シールリップといい、径方向外側のシールリップ３７を外側シールリップという。また、図２では、摺接面２４Ａ，２４Ｂに当接して弾性変形した状態のシールリップ３６，３７を実線で示し、摺接面２４Ａ，２４Ｂに当接する前の自然状態（無負荷状態）のシールリップ３６，３７を２点鎖線で示している。
【００２３】
内側シールリップ３６は、その基部側にやや径方向外方へ折曲する内側折曲部３９を有している。同様に、外側シールリップ３７も、その基部側にやや径方向外方へ折曲する外側折曲部４０を有している。そして、内側シールリップ３６及び外側シールリップ３７は、内側折曲部３９及び外側折曲部４０を支点として、上方へ屈曲し易くなっている。
【００２４】
外周側部材１９の内周面は、軸方向外側ほど内径が大きくなるように階段状に形成されている。具体的には、外周側部材１９の内周部には、軸方向内側から外側へ３つの段部（第１段部４２、第２段部４３、第３段部４４）が形成されている。各段部４２，４３，４４の高さ（径方向の寸法）は、第１段部４２が最も大きく、第３段部４４が最も小さい。また、第１段部４２及び第２段部４３は、軸心に対して略垂直な第１側面２４Ａ及び第２側面２４Ｂを備えているが、第３段部４４は、軸方向外側ほど内径が大きくなるような傾斜した第３側面４７を有している。そして、第１段部４２の第１側面２４Ａは、内側シールリップ３６が摺動可能に摺接する内側摺接面を構成し、第２段部４３の第２側面２４Ｂは、外側シールリップ３７が摺動可能に摺接する外側摺接面を構成している。
【００２５】
内側シールリップ３６は、締め代ｓ１をもって内側摺接面２４Ａに接触している。これに対して外側シールリップ３７は、締め代ｓ２をもって外側摺接面２４Ｂに接触しており、締め代ｓ１と締め代ｓ２とは、ｓ１＜ｓ２の関係がある。より好ましくは、ｓ１／ｓ２＝０．３〜０．６の関係がある。内側シールリップ３６と外側シールリップ３７とは、略同じ肉厚に形成され、曲げ剛性も略同等とされているが、締め代ｓ１，ｓ２が異なっているため、内側摺接面２４Ａに対する内側シールリップ３６の接触圧と、外側摺接面２４Ｂに対する外側シールリップ３７の接触圧とは互いに異なり、前者の方が後者よりも小さい。言い換えると、複数のシールリップ３６，３７は、転がり軸受１０の外部側ほど摺接面２４Ａ，２４Ｂに対する接触圧が高められている。
【００２６】
なお、内側シールリップ３６と外側シールリップ３７とは、締め代ｓ１，ｓ２の相違によって接触圧を異ならせるに限らず、例えば、内側シールリップ３６と外側シールリップ３７の曲げ剛性の相違によって接触圧を異ならせてもよい。この場合、両者の締め代ｓ１，ｓ２は同一とすることができる。
【００２７】
密封装置１８よりも軸方向内側（転がり軸受１０の内部側）は、転がり軸受１０が回転運動を行うことによって高温となり、しかも熱が逃げずにこもり易くなっている。これに対して、密封装置１８よりも軸方向外側（転がり軸受１０の外部側）では、圧延ロールを冷却するための冷却水がかかったり外気が触れたりすることによって放熱性が高くなっている。
【００２８】
そして、本実施形態では、転がり軸受１０の外部側に配置されている外側シールリップ３７は、内側シールリップ３６と比較して外側摺接面２４Ｂに対する接触圧が高いため、より高いシール性能を有しており、しかも放熱性が高い位置に配置されているために、高速回転時の発熱も抑制されるようになっている。他方、内側シールリップ３６は、熱のこもり易い転がり軸受１０の内部側に配置されているが、内側摺接面２４Ａに対する接触圧が低いため、高速回転時の発熱は抑制されている。
したがって、内側シールリップ３６と外側シールリップ３７との双方によって、シール性能を適切に維持しながら高速回転時の発熱も抑制することができ、当該発熱に起因する寿命低下などの不都合を解消することができる。
【００２９】
シール部材２３は、円環部２８の径方向外端部を覆うシール部２６の一部（先端部）５２が、径方向外方に向けて先細りとなるように尖った形状に形成されている。すなわち、シール部材２３の先端部５２には、互いに逆向きに傾斜した内側面５３と外側面５４とが形成されている。内側面５３は、第３側面４７に対して略平行に対向している。そして、内側面５３の傾斜は、シール部材２３の内部に入り込んだ水を回転に伴ってシール部材２３の外側へ振り切るように作用する。また、外側面５４の傾斜は、外側からかけられた水を径方向外側へはね返すように作用する。したがって、このようなシール部材２３の先端部５２の形状によって、シール部材２３の内側に水が入りにくくなり、また入った水を排出し易くすることができる。
【００３０】
《第２の実施の形態》
図２に示すように、内周側部材２０が回転すると、これに伴ってシール部材２３も回転し、内側シールリップ３６及び外側シールリップ３７には径方向外方へ開く方向へ遠心力が作用する。このような遠心力が作用すると、内側接触面２４Ａ及び外側接触面２４Ｂに対する各シールリップ３６，３７の接触圧が変化する。そして、第２の実施の形態では、シール部材２３の回転速度に対する内側シールリップ３６と外側シールリップ３７との接触圧の変化率を以下のように互いに異なるものとしている。
【００３１】
内周側部材２０の回転に伴うシール部材２３の回転周速度をＶとし、内側シールリップ３６の内側摺接面２４Ａに対する接触圧をＰＩとすると、回転速度Ｖに対する接触圧ＰＩの変化率ΔＰＩは、次の式（１）のように表すことができる。
ΔＰＩ＝ＰＩ／Ｖ    ・・・（１）
【００３２】
また、外側シールリップ３７の外側摺接面２４Ｂに対する接触圧をＰＯとすると、回転速度Ｖに対する接触圧ＰＯの変化率ΔＰＯは、次の式（２）のように表すことができる。
ΔＰＯ＝ＰＯ／Ｖ ・・・（２）
【００３３】
そして、本実施の形態では、変化率ΔＰＩとΔＰＯとを、次の式（３）の関係に設定している。
ΔＰＩ／ΔＰＯ＞１．３    ・・・（３）
【００３４】
上記式（１）〜（３）の関係をグラフで示すと、図３に示すようになる。このグラフによれば、内側シールリップ３６の内側摺接面２４Ａに対する接触圧の変化率は、外側シールリップ３７の同変化率よりも大きく（グラフの傾きが大きく）なっている。
このように設定することによって、シール部材２３の回転速度Ｖが高まるほど、内側シールリップ３６の接触圧は、外側シールリップ３７の接触圧よりも大きく低下する。言い換えると、外側シールリップ３７の接触圧は、内側シールリップ３６の接触圧ほど低下しない。したがって、高速回転時における内側シールリップ３６の発熱をより効果的に抑制することができ、外側シールリップ３７によるシール性の低下を抑制することができる。なお、上記のように接触圧の変化率ΔＰＩ，ΔＰＯは、シールリップ３６，３７の曲げ剛性等を調整することによって相互に異ならせることができる。
【００３５】
本発明は、上記実施の形態に限定されることなく特許請求の範囲に記載された発明の範囲内において適宜変更できるものである。
密封装置１８のシール部材２３には、３個以上のシールリップが設けられていてもよい。この場合、転がり軸受１０の外部側のシールリップほど摺接面に対する接触圧が高められていればよい。また、複数のシールリップは、軸方向に並べて配置されていてもよい。
【００３６】
上記実施形態では、シール部材２３が内周側部材２０に設けられ、摺接面２４が外周側部材１９に設けられていたが、その逆であってもよい。また、内側シールリップ３６が転がり軸受１０の内部側に配置され、外側シールリップ３７が転がり軸受１０の外部側に配置されているが、その逆であってもよい。
【００３７】
内周側部材２０は、内輪１１と別体であってもよく、外周側部材１９は外輪１２と一体であってもよい。また、内周側部材２０は圧延ロール等の軸と一体であってもよく、外周側部材１９は、ハウジング２１と一体であってもよい。
本発明は、圧延ロールの軸支持装置に使用される密封装置１８や転がり軸受１０に限らず、他のあらゆる装置に使用される密封装置１８や転がり軸受１０に適用することができる。
【符号の説明】
【００３８】
１０：転がり軸受、１１：内輪、１２：外輪、１８：密封装置、１９：外周側部材、２０：内周側部材、２３：シール部材、２４Ａ：内側摺接面、２４Ｂ：外側摺接面、２５：芯金、２６：シール部、３６：内側シールリップ、３７：外側シールリップ、５３：内側面、５４：外側面
【図１】
0005620258.tif 000002
【図２】
0005620258.tif 000003
【図３】
0005620258.tif 000004